(57)【要約】【課題】メッセージ表示に際しては、優れたアイキャッチ効果が得られる一方、画像表示に際しては、色調が整えられた美しい画像を表示できる表示器を提供する。【解決手段】複数の発光ダイオードによりカラー表示を行う各種表示器２と、該各種表示器２の表示データを作成可能な表示データ作成装置１とを有する表示システムであって、各種表示器２に含まれる中型表示器２Ｂは、色調を整えることを優先した色調優先表示状態と、輝度を高めることを優先した輝度優先表示状態とに表示状態を変更可能な表示状態変更手段を備える構成とした。【選択図】図４
2007233064.tif 000002
【特許請求の範囲】
【請求項１】
複数の発光ダイオードによりカラー表示を行う各種表示器と、該各種表示器の表示データを作成可能な表示データ作成装置とを有する表示システムにおいて、前記各種表示器のうち少なくとも１つは、色調を整えることを優先した色調優先表示状態と、輝度を高めることを優先した輝度優先表示状態とに表示状態を変更可能な表示状態変更手段を備えることを特徴とする表示システム。
【請求項２】
前記表示状態変更手段は、ガンマ補正値の手動設定に基づいて表示状態を変更することを特徴とする請求項１記載の表示システム。
【請求項３】
前記表示状態変更手段は、色調優先表示状態に適したガンマ補正値と、輝度優先表示状態に適したガンマ補正値とを記憶保持し、適用するガンマ補正値の切換えに基づいて表示状態を変更することを特徴とする請求項１記載の表示システム。
【請求項４】
前記表示状態変更手段は、表示データ又は表示データに含まれるコマンドに基づいてデータ種別を判別し、該判別結果に基づいて適用するガンマ補正値を自動的に切換えることを特徴とする請求項３記載の表示システム。
【請求項５】
複数の発光ダイオードによりカラー表示を行う表示器において、色調を整えることを優先した色調優先表示状態と、輝度を高めることを優先した輝度優先表示状態とに表示状態を変更可能な表示状態変更手段を備えることを特徴とする表示器。
【請求項６】
前記表示状態変更手段は、ガンマ補正値の手動設定に基づいて表示状態を変更することを特徴とする請求項５記載の表示器。
【請求項７】
前記表示状態変更手段は、色調優先表示状態に適したガンマ補正値と、輝度優先表示状態に適したガンマ補正値とを記憶保持し、適用するガンマ補正値の切換えに基づいて表示状態を変更することを特徴とする請求項５記載の表示器。
【請求項８】
前記表示状態変更手段は、表示データ又は表示データに含まれるコマンドに基づいてデータ種別を判別し、該判別結果に基づいて適用するガンマ補正値を自動的に切換えることを特徴とする請求項７記載の表示器。
【発明の詳細な説明】
【技術分野】
【０００１】
本発明は、各種の表示器及び表示データ作成装置を有する表示システムや、複数の発光ダイオードによりカラー表示を行う表示器に関し、特に、メッセージ表示及び画像表示に兼用される表示器や、この種の表示器を含む表示システムに関する。
【背景技術】
【０００２】
複数の発光ダイオード（ＬＥＤ）によりカラー表示を行う表示器が広く普及している。この種の表示器としては、主にメッセージ表示に使用される小型表示器、メッセージ表示及び画像表示に兼用される中型表示器、主に画像表示に使用される大型表示器などが含まれる。
【０００３】
一般に、画像表示を行う表示器では、その色調（ホワイトバランスなど）を整えるために、いわゆるガンマ補正が行われる。これは、表示器毎に、発光ダイオードの品種、ドットピッチ、輝度などが異なり、同じ画像データを適用しても、表示される画像の色調に大きなばらつきが生じるからである。
【０００４】
ガンマ補正の方法としては、表示器に入力される前の表示データを、表示器のガンマ特性に合わせて予め補正しておく方法がある（例えば、特許文献１の従来技術の欄参照）。しかしながら、この方法では、色調を変更する場合、表示データ作成装置（パーソナルコンピュータなど）で表示データを修正する必要があるため、色調の変更作業が面倒であるばかりでなく、表示データ作成装置が手近にない場合、色調の変更が困難になるといった問題がある。
【０００５】
そこで、表示器にガンマ補正手段を内装すると共に、時間帯や天候によって表示器周囲の照度が変化して表示が見えにくくなったり、異なる映像機器から映像データが送信される等の条件に応じてガンマ補正値を自動的に修正させるようにしたものがあるものがある（例えば、特許文献１、２参照。）。
【特許文献１】特開２０００−２９３１１９号公報
【特許文献２】特開２０００−２９３１３３号公報
【発明の開示】
【発明が解決しようとする課題】
【０００６】
しかしながら、特許文献１、２に記載される表示器では、自動設定された補正値によるガンマ補正を望まない場合であっても、その意思に関係なくガンマ補正が実行されるため、表示器の用途やユーザの好みに応じた表示状態が得られない可能性があり、ここに本発明が解決しようとする課題がある。例えば、輝度を優先するメッセージ表示用途でありながら、色調を優先するガンマ補正値が自動的に適用され、表示器のアイキャッチ効果が低減する可能性がある。
【課題を解決するための手段】
【０００７】
本発明は、上記の如き実情に鑑みこれらの課題を解決することを目的として創作されたものであって、複数の発光ダイオードによりカラー表示を行う各種表示器と、該各種表示器の表示データを作成可能な表示データ作成装置とを有する表示システムにおいて、前記各種表示器のうち少なくとも１つは、色調を整えることを優先した色調優先表示状態と、輝度を高めることを優先した輝度優先表示状態とに表示状態を変更可能な表示状態変更手段を備えることを特徴とする。表示システムをこのように構成すると、表示器の用途やユーザの好みに応じて表示器の表示状態（色調優先表示状態又は輝度優先表示状態）を表示器側で変更することが可能になる。これにより、メッセージ表示に際しては、輝度優先表示状態を選択することにより、優れたアイキャッチ効果が得られる一方、画像表示に際しては、色調優先表示状態を選択することにより、色調が整えられた美しい画像を表示できる。
また、前記表示状態変更手段は、ガンマ補正値の手動設定に基づいて表示状態を変更することを特徴とする。表示システムをこのように構成すると、表示器の用途やユーザの好みに応じて、表示器の表示状態をきめ細かく調整することが可能になる。
また、前記表示状態変更手段は、色調優先表示状態に適したガンマ補正値と、輝度優先表示状態に適したガンマ補正値とを記憶保持し、適用するガンマ補正値の切換えに基づいて表示状態を変更することを特徴とする。表示システムをこのように構成すると、ガンマ補正値を手動設定する場合に比べ、表示状態を容易に切換えることができるだけでなく、迅速な切換えが可能になる。
また、前記表示状態変更手段は、表示データ又は表示データに含まれるコマンドに基づいてデータ種別を判別し、該判別結果に基づいて適用するガンマ補正値を自動的に切換えることを特徴とする。表示システムをこのように構成すると、表示状態の手動切換え操作が不要になるだけでなく、データ種別に合った表示状態を誤りなく適用できる。つまり、メッセージ表示においては、輝度優先表示状態を自動的に適用し、画像表示においては、色調優先表示状態を自動的に適用できる。
また、複数の発光ダイオードによりカラー表示を行う表示器において、色調を整えることを優先した色調優先表示状態と、輝度を高めることを優先した輝度優先表示状態とに表示状態を変更可能な表示状態変更手段を備えることを特徴とする。表示器をこのように構成すると、表示器の用途やユーザの好みに応じて表示器の表示状態（色調優先表示状態又は輝度優先表示状態）を表示器側で変更することが可能になる。これにより、メッセージ表示に際しては、輝度優先表示状態を選択することにより、優れたアイキャッチ効果が得られる一方、画像表示に際しては、色調優先表示状態を選択することにより、色調が整えられた美しい画像を表示できる。
また、前記表示状態変更手段は、ガンマ補正値の手動設定に基づいて表示状態を変更することを特徴とする。表示器をこのように構成すると、表示器の用途やユーザの好みに応じて、表示器の表示状態をきめ細かく調整することが可能になる。
また、前記表示状態変更手段は、色調優先表示状態に適したガンマ補正値と、輝度優先表示状態に適したガンマ補正値とを記憶保持し、適用するガンマ補正値の切換えに基づいて表示状態を変更することを特徴とする。表示器をこのように構成すると、ガンマ補正値を手動設定する場合に比べ、表示状態を容易に切換えることができるだけでなく、迅速な切換えが可能になる。
また、前記表示状態変更手段は、表示データ又は表示データに含まれるコマンドに基づいてデータ種別を判別し、該判別結果に基づいて適用するガンマ補正値を自動的に切換えることを特徴とする。このようにすると、表示状態の手動切換え操作が不要になるだけでなく、データ種別に合った表示状態を誤りなく適用できる。つまり、メッセージ表示においては、輝度優先表示状態を自動的に適用し、画像表示においては、色調優先表示状態を自動的に適用できる。
【発明の効果】
【０００８】
以上のような本発明によれば、表示器の用途やユーザの好みに応じて表示器の表示状態（色調優先表示状態又は輝度優先表示状態）を表示器側で変更することが可能になる。これにより、メッセージ表示に際しては、輝度優先表示状態を選択することにより、優れたアイキャッチ効果が得られる一方、画像表示に際しては、色調優先表示状態を選択することにより、色調が整えられた美しい画像を表示できる。
【発明を実施するための最良の形態】
【０００９】
次に、本発明の実施の形態について、図面に基づいて説明する。図１は表示システムを示した図であって、該表示システムは、表示データを作成する表示データ作成装置１と、該表示データ作成装置１で作成した表示データに基いてメッセージ表示や画像表示を行う各種の表示器２とから構成されている。
【００１０】
図２に示す本実施形態の表示データ作成装置１は、パーソナルコンピュータに表示データ作成プログラムを導入することにより構成されたものであって、機能的な構成要素としては、少なくとも、表示データを編集するための編集手段３と、該編集手段３で編集された表示データを出力するための出力手段４とを有している。
編集手段３が編集する表示データには、文字を表示させるためのメッセージデータや、画像を表示させるための画像データの他に、制御コマンドが含まれる。制御コマンドは、様々な表示条件を設定する設定情報であり、例えば、表示サイズ、表示フォント、表示色、表示パターン等を制御コマンドで指定することにより、多様な表示態様を出現させることが可能になる。
【００１１】
編集手段３には、データ入力手段５及び設定入力手段６が連繋されている。データ入力手段５は、メッセージデータや画像データを編集手段３に入力するための入力デバイスであり、具体的には、メッセージデータを入力するキーボード、メッセージデータや画像データを保存するハードディスクドライブ、ＣＤ−ＲＯＭからデータを読み出すＣＤ−ＲＯＭドライブ、インターネット上のサーバからデータをダウンロードするブラウザ等が考えられる。また、設定入力手段６は、データ入力手段５と同等の入力デバイスを用いて構成することができる。
出力手段４は、編集手段３で編集・作成された表示データを、持ち運び自在なメモリ７を介して表示器２に出力したり、表示データ作成装置１に備えられたモデム、ルータ等の転送手段８及び通信回線を介して表示器２に出力することができる。
【００１２】
各種の表示器２は、複数の発光ダイオード（ＬＥＤ）によりカラー表示を行うものであって、本実施形態では、主にメッセージ表示に使用される小型表示器２Ａと、メッセージ表示及び画像表示に兼用される中型表示器２Ｂと、主に画像表示に使用される大型表示器２Ｃとが含まれる。
小型表示器２Ａは、店舗のフロント等に設置される看板用途に適しており、輝度を優先したアイキャッチ効果の高い表示状態が要求される。また、一般的な小型表示器２Ａでは、組み込みプロセッサの処理能力や処理精度が十分ではなく、その必要性も低いため、ガンマ補正は行われていない。
【００１３】
一方、大型表示器２Ｃは、メッセージ表示も可能であるが、主に画像表示に使用されるため、色調を優先した表示状態が要求される。一般的な大型表示器２Ｃでは、処理能力や処理精度の高い組み込みプロセッサを搭載し、自動的なガンマ補正を行っているが、その目的は、発光ダイオードの品種、ドットピッチ、輝度等に起因する色調のばらつきを補正し、ホワイトバランス等を整えることにあり、色調を優先するガンマ補正である。尚、天候や昼夜に応じて輝度を自動補正する大型表示器２Ｃも知られているが、このガンマ補正は、色調を優先しつつ、全体の輝度を変化させる補正であり、色調を崩してまで輝度を高めるような補正は行われない。
【００１４】
中型表示器２Ｂは、小型表示器２Ａと大型表示器２Ｃの中間的な用途で使用され、メッセージ表示及び画像表示に兼用される。画像表示に使用する際には、色調を優先した表示状態が要求されるため、ガンマ補正を行う中型表示器２Ｂも知られているが、従来の中型表示器２Ｂが行うガンマ補正は、大型表示器２Ｃのように補正値を自動調整するような高度なガンマ補正ではなく、補正値を固定した簡易なガンマ補正である。したがって、色調を優先したガンマ補正値が設定された中型表示器２Ｂでは、輝度を優先したガンマ補正を行うことができず、また、輝度を優先したガンマ補正値が設定された中型表示器２Ｂでは、色調を優先したガンマ補正を行うことができないという問題があった。
【００１５】
本実施形態の中型表示器２Ｂは、上記のような問題を解決するために、表示状態変更手段を備えている。表示状態変更手段は、中型表示器２Ｂの表示状態を、色調を整えることを優先した色調優先表示状態と、輝度を高めることを優先した輝度優先表示状態とに変更可能にするものである。このようにすると、用途やユーザの好みに応じて中型表示器２Ｂの表示状態（色調優先表示状態又は輝度優先表示状態）を表示器側で変更することが可能になり、その結果、メッセージ表示に際しては、輝度優先表示状態を選択することにより、優れたアイキャッチ効果が得られる一方、画像表示に際しては、色調優先表示状態を選択することにより、色調が整えられた美しい画像を表示できる。
【００１６】
次に、中型表示器２Ｂの具体的な構成について、図３を参照して説明する。この図に示すように、本実施形態の中型表示器２Ｂは、表示データ作成装置１から出力された表示データを読み込む表示データ読込み手段９と、該表示データ読込み手段９に読み込まれた表示データの指令に従って表示制御を行う表示データ制御手段１０と、該表示データ制御手段１０から出力されるＬＥＤ駆動指令信号をガンマ補正するガンマ補正手段１１と、ガンマ補正されたＬＥＤ駆動指令信号に基づいて発光ダイオードを駆動させる駆動部１２と、複数の発光ダイオードがマトリクス状に配列された表示部１３とを有している。尚、表示読込み手段９は、持ち運び自在なメモリ７からデータを読み込んだり、通信回線及び受信手段１４を介して表示データ作成装置１から表示データを読み込むことができる。
【００１７】
本実施形態の中型表示器２Ｂは、二つの表示状態変更手段を備えている。第一の表示状態変更手段は、ガンマ補正値の手動設定に基づいて表示状態の変更を行う。例えば、表示データ制御手段１０又はガンマ補正手段１１にリモコン等の設定入力手段１５を連繋し、該設定入力手段１５の操作に基づいて、色調優先表示状態に適したガンマ補正値や、輝度優先表示状態に適したガンマ補正値を手動設定可能にする。このようにすると、用途やユーザの好みに応じて、中型表示器２Ｂの表示状態をきめ細かく調整することが可能になる。尚、設定入力手段１６によるガンマ補正値の手動設定は、例えば、「赤」、「緑」、「青」の各色について、０．１〜１．０の範囲で行うことができるようにし、ホワイトバランス及び色調の微調整を可能にすることが好ましい。
尚、本発明における第一の表示状態変更手段は、表示データ制御手段１０における制御処理により実現されるが、その処理内容は、設定入力手段１５からの入力信号に応じてガンマ補正値を設定変更する程度の容易な処理であるため、フローチャート図の記載及びその説明は省略する。
【００１８】
また、第二の表示状態変更手段は、色調優先表示状態に適したガンマ補正値と、輝度優先表示状態に適したガンマ補正値とを記憶保持し、適用するガンマ補正値の切換えに基づいて表示状態の変更を行う。このようにすると、ガンマ補正値を手動設定する場合に比べ、表示状態を容易に切換えることができるだけでなく、迅速な切換えが可能になる。
また、第二の表示状態変更手段を採用した場合は、表示データ又は表示データに含まれる制御コマンドに基づいてデータ種別（メッセージデータ又は画像データ）を判別し、該判別結果に基づいて適用するガンマ補正値を自動的に切換えることが容易である。このようにすると、表示状態の手動切換え操作が不要になるだけでなく、データ種別に合った表示状態を誤りなく適用できる。つまり、メッセージ表示においては、輝度優先表示状態を自動的に適用し、画像表示においては、色調優先表示状態を自動的に適用できる。
【００１９】
次に、第二の表示状態変更手段を実現する中型表示器２Ｂの制御手順について、図４を参照して説明する。この図に示すように、表示状態変更処理では、まず、表示データの読み込みを行い（Ｓ１）、そのデータ種別を判別する（Ｓ２）。表示データのデータ種別は、メッセージデータや画像データのデータ型式に基づいて判別してもよいが、制御コマンドの記述内容に基づいて判別してもよい。
表示データのデータ種別が画像データである場合は、予め記憶される色調優先表示用のガンマ補正値を適用し（Ｓ３）、メッセージデータである場合は、予め記憶される輝度優先表示用のガンマ補正値を適用する（Ｓ４）。そして、適用されたガンマ補正値に基づいてガンマ補正処理（Ｓ５）を行った後、ガンマ補正済みのＬＥＤ駆動指令信号を駆動部１２に出力し（Ｓ６）、表示部１３において色調優先表示又は輝度優先表示を行う。
【００２０】
尚、本発明は本実施の形態に限定されるものでないことは勿論であり、例えば、表示状態変更手段による輝度優先表示状態と色調優先表示状態との変更は、中型表示器２Ｂに限られるものではなく、小型表示器２Ａや大型表示器２Ｃであっても実行できる。
【００２１】
叙述の如く構成された本発明の実施の形態において、複数の発光ダイオードによりカラー表示を行う各種表示器２と、該各種表示器２の表示データを作成可能な表示データ作成装置１とを有する表示システムであって、各種表示器２に含まれる中型表示器２Ｂは、色調を整えることを優先した色調優先表示状態と、輝度を高めることを優先した輝度優先表示状態とに表示状態を変更可能な表示状態変更手段を備えるので、用途やユーザの好みに応じて中型表示器２Ｂの表示状態（色調優先表示状態又は輝度優先表示状態）を表示器側で変更することが可能になる。その結果、メッセージ表示に際しては、輝度優先表示状態を選択することにより、優れたアイキャッチ効果が得られる一方、画像表示に際しては、色調優先表示状態を選択することにより、色調が整えられた美しい画像を表示できる。
【００２２】
また、第一の表示状態変更手段は、ガンマ補正値の手動設定に基づいて表示状態を変更するので、用途やユーザの好みに応じて、中型表示器２Ｂの表示状態をきめ細かく調整することが可能になる。
また、第二の表示状態変更手段は、色調優先表示状態に適したガンマ補正値と、輝度優先表示状態に適したガンマ補正値とを記憶保持し、適用するガンマ補正値の切換えに基づいて表示状態を変更するので、ガンマ補正値を手動設定する場合に比べ、表示状態を容易に切換えることができるだけでなく、迅速な切換えが可能になる。
【００２３】
また、第二の表示状態変更手段では、表示データ又は表示データに含まれるコマンドに基づいてデータ種別を判別し、該判別結果に基づいて適用するガンマ補正値を自動的に切換えることができる。このようにすると、表示状態の手動切換え操作が不要になるだけでなく、データ種別に合った表示状態を誤りなく適用できる。つまり、メッセージ表示においては、輝度優先表示状態を自動的に適用し、画像表示においては、色調優先表示状態を自動的に適用できる。
【図面の簡単な説明】
【００２４】
【図１】表示システムのブロック図である。
【図２】表示データ作成装置のブロック図である。
【図３】表示器のブロック図である。
【図４】表示状態変更処理の制御手順を示すフローチャート図である。
【符号の説明】
【００２５】
１    表示データ作成装置
２Ａ  小型表示器
２Ｂ  中型表示器
２Ｃ  大型表示器
３    編集手段
４    出力手段
５    データ入力手段
６    設定入力手段
７    メモリ
８    転送手段
９    表示データ読み込み手段
１０  表示データ制御手段
１１  ガンマ補正手段
１２  駆動部
１３  表示部
１４  受信手段
１５  設定入力手段
【図１】
2007233064.tif 000003
【図２】
2007233064.tif 000004
【図３】
2007233064.tif 000005
【図４】
2007233064.tif 000006